(57)【要約】【課題】全下肢や全脊椎の立位Ｘ線撮影時に、被験者が左右方向に動かないようにする。【解決手段】従来の平面衝立による前後方向の動きのみの規制に加え、衝立に被検者がはまり込むコの字形または湾曲したくぼみ等を設け、また、衝立に被検者がはまり込む幅を変えることのできる仕切り板を設けるなど、左右方向の動きを規制する構造を付加する。そうすることで、画像の劣化が防がれ、分割撮影した複数枚の画像の接合も正しく行うことができる。【選択図】          図１
2012110365.tif 000002
【特許請求の範囲】
【請求項１】
Ｘ線を発生するＸ線管と、前記Ｘ線管と対向して配設され被検者を透過したＸ線を受像するＸ線検出器と、前記Ｘ線管と被検者間に配設され前記被検者の立位撮影時の前後方向の動きを規制する衝立と、前記Ｘ線検出器を支持する立位撮影台と、前記Ｘ線管を保持する保持装置を備えるＸ線撮影装置において、前記衝立として、前記被検者の前後方向の動きの規制に加え左右方向の動きを規制する構造を付加することを特徴とするＸ線撮影装置。
【請求項２】
前記衝立は、被検者がはまり込むコの字形のくぼみを有することを特徴とする請求項１記載のＸ線撮影装置。
【請求項３】
前記衝立は、被検者がはまり込む湾曲したくぼみを有することを特徴とする請求項１記載のＸ線撮影装置。
【請求項４】
前記衝立は、被検者がはまり込む幅を変えることのできる仕切り板を有することを特徴とする請求項１記載のＸ線撮影装置。
【発明の詳細な説明】
【技術分野】
【０００１】
本発明は、立位のＸ線撮影装置に使用される衝立に関するものである。
【背景技術】
【０００２】
Ｘ線撮影装置において、最大の画像用カセット１個では撮影できない大きい物体部分を画像化する必要性が存在する。
【０００３】
前記画像化の需要を満たすため、主に骨の計測を目的とした全下肢撮影や全脊椎撮影にあたっては、被写体全体を撮影する、いわゆる「長尺撮影」が行われる。全脊椎、または全下肢のＸ線撮影において、被検者（患者）を臥位にして撮影する場合と、立位で撮影する場合があるが、患者が実際に生活しているのと同じ状態、つまり脊椎や関節に重力の負荷が作用した状態で観察するためには、立位撮影が望ましい。
【０００４】
この長尺撮影において、従来は、長尺フィルムを増感紙（スクリーン）と共に長尺カセッテに収納して撮影していた。この場合下肢全体や全脊椎が撮影できる大きさの長尺カセッテを用意し１回の曝射で全撮影範囲を撮影していた。
【０００５】
近年、Ｘ線画像を直接デジタル画像として撮影できる装置が開発されている。例えば、マトリックス状に配置された画素毎に半導体検出素子を備え、この各半導体検出素子が直接に、または蛍光体を介して光に変換して間接に検出したＸ線を薄膜トランジスタ（ＴＦＴ）等のスイッチングゲートを用いて画像信号として読み出すＸ線平面検出器（以下ＦＰＤ）を使用する撮影装置がある（特許文献１参照）。
【０００６】
ＦＰＤを搭載したＸ線診断装置が急速に普及してきており、特に、ＦＰＤを搭載した立位のＸ線撮影装置の普及が目覚しい。しかし、現在実用化されているＦＰＤのサイズでは１回で全脊椎撮影は困難である。全脊椎をカバーする大面積のＦＰＤを用いれば１回で全脊椎撮影は可能であるが、ＦＰＤの構造上、コストが非常に高くなるという課題がある。
【０００７】
したがって、現在もっとも普及しているＦＰＤ搭載の立位のＸ線撮影装置で全脊椎を撮影するには、立位のＸ線撮影装置を上下方向に移動して複数回撮影しなければならない。例えば、４３ｃｍ×４３ｃｍのＦＰＤを用いた立位のＸ線撮影装置であれば、２回に分割することで全脊椎の撮影が可能となる。
【０００８】
図４に立位のＸ線撮影装置の構成の概略を示す。図４は装置と被検者を上から見た上面図である。立位のＸ線撮影装置は、Ｘ線を発生するＸ線管１１と、Ｘ線管１１と対向して配設され被検者１７を透過したＸ線を受像するＸ線検出器１２と、Ｘ線管１１と被検者１７間に配設され被検者１７の立位撮影時の前後方向の動きを規制する衝立１４および被検者１７を衝立１４に固定するバンド１５と、Ｘ線検出器１２を支持する立位撮影台１６と、Ｘ線管１１を保持する保持装置（図示せず）より構成される。被検者１７はバンド１５によって衝立１４に固定され、前後方向の動きを規制された立位の状態でＸ線撮影が行われる。
【先行技術文献】
【特許文献】
【０００９】
【特許文献１】特開平１１−１３７５４４号公報
【発明の概要】
【発明が解決しようとする課題】
【００１０】
しかしながら、この撮影方法は例えば上部脊椎を撮影した後に、ＦＰＤを含む撮影装置を移動して下部脊椎を撮影することになるので、被験者は通常の撮影よりも長い時間、同じ姿勢を維持しなければならない。もし被験者が撮影中に動いてしまったために、画像の劣化が発生し、また上部脊椎を撮影した姿勢と下部脊椎を撮影した姿勢が一致しない場合には、分割して撮影した２枚の画像が正しく接合ができない問題が生じる。
【００１１】
また、脊椎や関節に障害のある被験者の場合、立位の状態を保持すること自体が困難な場合があり、最悪の場合、転倒する等の事故も考えられる。これらの問題を解決するために、従来は図４に示す衝立１４を用いて、衝立１４にバンド１５で被験者を固定することで、被験者の動きの規制や転倒の防止を図っている。
【００１２】
しかし、図４の衝立１４は平面であるため、被験者の前後方向の動きを規制することは可能であるが、左右方向の動きの規制はむずかしい。
【課題を解決するための手段】
【００１３】
上記の課題を解決するために、本発明のＸ線撮影装置は、Ｘ線を発生するＸ線管と、前記Ｘ線管と対向して配設され被検者を透過したＸ線を受像するＸ線検出器と、前記Ｘ線管と被検者間に配設され前記被検者の立位撮影時の前後方向の動きを規制する衝立と、前記Ｘ線検出器を支持する立位撮影台と、前記Ｘ線管を保持する保持装置を備えるＸ線撮影装置において、前記衝立として、前記被検者の前後方向の動きの規制に加え左右方向の動きを規制する構造を付加することを特徴とする。
【００１４】
ここで、本発明においては、前記衝立が、被検者がはまり込むコの字形のくぼみ、または被検者がはまり込む湾曲したくぼみを有することが望ましい。
【００１５】
また、本発明においては、前記衝立が、被検者がはまり込む幅を変えることのできる仕切り板を有してもよい。
【発明の効果】
【００１６】
したがって、撮影時、被検者の前後左右方向の動きが完全に規制されるので、動きによる画像の劣化が防止でき、また分割撮影した複数枚の画像を正しく接合できる。
【図面の簡単な説明】
【００１７】
【図１】本発明の実施例１における立位のＸ線撮影装置の概略的な構成（上面図）を示す。
【図２】本発明の実施例２における衝立の概略的な構成（上面図）を示す。
【図３】本発明の実施例３における衝立の概略的な構成（上面図）を示す。
【図４】従来の立位Ｘ線撮影の概略的な構成（上面図）を示す。
【発明を実施するための形態】
【００１８】
図１に実施例１の立位のＸ線撮影装置の構成の概略を示す。図１は装置と被検者を上から見た上面図である。立位のＸ線撮影装置は、Ｘ線を発生するＸ線管１と、Ｘ線管１と対向して配設され被検者７を透過したＸ線を受像するＸ線検出器２と、Ｘ線管１と被検者７間に配設され被検者７の立位撮影時の前後左右方向の動きを規制する衝立４および被検者７を衝立４に固定するバンド５と、Ｘ線検出器２を支持する立位撮影台６と、Ｘ線管１を保持する保持装置（図示せず）より構成されている。被検者７はバンド５によって衝立４に固定され、前後左右方向の動きを規制された立位の状態でＸ線撮影が行われる。
【００１９】
衝立４は、コの字形のくぼみを持ち、そのくぼみに被検者７が入り込みバンド５によって固定され、前後左右方向の動きが規制される。したがって、立位のＸ線撮影中、被検者７はほとんど動かない。
【００２０】
図２に実施例２の衝立８の概略的な構成（上面図）を示す。衝立８は被検者１０がはまり込む側が大きく湾曲したくぼみを持っている。前記くぼみに被検者１０が入り込みバンド９によって固定され、前後左右方向の動きが規制される。したがって、立位のＸ線撮影中、被検者１０はほとんど動かない。
【００２１】
図３に実施例３の衝立の概略的な構成（上面図）を示す。実施例３の衝立は平面衝立１８と右仕切り板２０および左仕切り板２１より構成され、被検者２３の体側幅Ｗの両側にほぼ接するように左右の仕切り板２０および２１の位置を調整した後、ボルト２２で固定する。したがって、被検者の体側幅が違っても対応できる。左右の仕切り板２０および２１には長穴（図示せず）が設けてあるため左右方向に移動可能であり、被検者２３は固定された左右の仕切り板２０および２１によって形成されたくぼみにはまり込み、バンド１９によって固定される。
【００２２】
実施例３は個人差のある被検者の体側幅に対応して、各被検者に合致したはまり込み幅を持つ衝立を構成することができる。実施例３は被検者がはまり込む衝立の左右方向の幅を可変にする方式の一例を示したものであり、本発明は、前記幅を可変にする全ての方式を網羅する。
【００２３】
実施例１から３に用いられた衝立４および８、並びに平面衝立１８はＸ線吸収の少ない材料（たとえばアクリル）で作られる。
【符号の説明】
【００２４】
１    Ｘ線管
２    Ｘ線検出器
４    衝立
５    バンド
６    立位撮影台
７    被検者
８    衝立
９    バンド
１０  被検者
１１  Ｘ線管
１２  Ｘ線検出器
１４  衝立
１５  バンド
１６  立位撮影台
１７  被検者
１８  平面衝立
１９  バンド
２０  右仕切り板
２１  左仕切り板
２２  ボルト
２３  被検者
Ｗ    体側幅
【図１】
2012110365.tif 000003
【図２】
2012110365.tif 000004
【図３】
2012110365.tif 000005
【図４】
2012110365.tif 000006